(57)【要約】      （修正有）【課題】第一分割ヘッド及び第二分割ヘッドに対しシムを簡単に着脱し且つ高精度に位置合わせして組み付ける。【解決手段】挿入空間Ｓがシム３の厚さよりも広くなるように第一分割ヘッド１と第二分割ヘッド２が離隔移動している状態で、挿入空間Ｓに向けてシムを挿入することにより、シムの表裏両面３ａ，３ｂが第一分割ヘッド及び第二分割ヘッドの対向面１ａ，２ａと接触することなく挟み込まれる。これと同時に、シムに設けられた第一ストッパー５を、第一分割ヘッド又は第二分割ヘッドのいずれか一方か若しくは両方に突き当てることで、凹部３ｃがシムの挿入方向へ位置決めされる。またシムの挿入後は、挿入空間がシムの厚さと同寸法となるように第一分割ヘッドと第二分割ヘッドを接近移動させることで、第一分割ヘッド及び第二分割ヘッドの対向面がシムの表裏両面にそれぞれ密接して、シムがその厚さ方向へ位置決めされる。【選択図】図３
2014039913.tif 000002
【特許請求の範囲】
【請求項１】
塗布液の供給路を有する第一分割ヘッドと、
前記第一分割ヘッドと対向して離隔及び接近する方向へ往復動自在に設けられて、前記第一分割ヘッドとの間に挿入空間が形成される第二分割ヘッドと、
前記挿入空間に向け前記第一分割ヘッド及び前記第二分割ヘッドの対向面に沿って出し入れ自在に設けられ、前記供給路と連通する前記塗布液のスロットを前記第一分割ヘッド及び前記第二分割ヘッドの間に形成するための凹部を有する複数種類のシムと、を備え、
前記シムには、前記第一分割ヘッド又は前記第二分割ヘッドのいずれか一方か若しくは両方に対して、前記挿入空間に対する前記シムの挿入方向へ当接する第一ストッパーが設けられ、
前記挿入空間の間隔を、前記シムの挿入時において前記シムの厚さよりも広くなるように設定し、前記シムの挿入後において前記シムの厚さと同寸法となるように設定したことを特徴とする流体塗布装置。
【請求項２】
前記第一分割ヘッド又は前記第二分割ヘッドのいずれか一方か若しくは両方に、前記シムの幅方向端部と当接する第二ストッパーを設けたことを特徴とする請求項１記載の流体塗布装置。
【請求項３】
前記第一分割ヘッドと前記第二分割ヘッドに、前記挿入空間が前記シムの挿入時における間隔となるように離隔方向へ押圧するか、又は前記挿入空間が前記シムの挿入後における間隔となるように接近方向へ押圧する弾性部材と、前記挿入空間が前記シムの挿入後における間隔となるように保持するか、或いは前記挿入空間が前記シムの挿入時における間隔となるように保持する保持部材を設けたことを特徴とする請求項１又は２記載の流体塗布装置。
【請求項４】
前記シムにおいて前記凹部と反対側に取手を設けたことを特徴とする請求項１、２又は３記載の流体塗布装置。
【発明の詳細な説明】
【技術分野】
【０００１】
本発明は、例えば３Ｄ素材やフィルムやガラス基板などを、スマートフォンなどのような表示体や半導体基板や液晶基板などに接着する際、その表面に沿って接着液やレジストなどの塗布液を均一な膜厚の面状に塗布するために用いられる流体塗布装置（コーター装置）に関する。
【背景技術】
【０００２】
従来、この種の流体塗布装置として、塗布対象物の表面に沿って移動自在な塗布機構部に対し、２つの分割ヘッドと、これら２つの分割ヘッドの間に挟み付けられるシムが備えられ、一方の分割ヘッドには、塗布液の液注入口が形成されるとともに、液注入口から注入された塗布液を幅方向に拡散させるための空洞部が形成され、シムはコの字の凹部を有し、２つの分割ヘッドの間にシムが挟み付けられたとき、これら２つの分割ヘッドの間にスリット状のスロットを形成し、シムの厚さがスロットの隙間の大きさを決定し、凹部の長さがスロットの長さ、すなわち塗布液の塗布幅を決定するための塗布ヘッドがある（例えば、特許文献１参照）。
【先行技術文献】
【特許文献】
【０００３】
【特許文献１】特開２００３−２１１０５３号公報
【発明の概要】
【発明が解決しようとする課題】
【０００４】
このような従来の流体塗布装置では、塗布対象物となるワークのサイズ変更などに伴って塗布液の塗布幅やスロットの隙間が変更される度に、それに対応する幅の凹部を有するシムや厚みの異なるシムに交換する必要がある。
しかし乍ら、シムは、２つの分割ヘッドの間に挟まれ、塗布液の注入圧が高くても漏れ出ないように、分割ヘッド同士をボルトによって締結しているため、シムの交換時には、先ず２つの分割ヘッドとシムを完全に分解し、分解された分割ヘッドと交換したシムをそれぞれ高精度に位置合わせした後に、これらを一体的に組み付けなければならず、交換作業が面倒で且つシムの交換に時間を要し、稼働率が低下して生産性に劣るという問題があった。
【０００５】
本発明は、このような問題に対処することを課題とするものであり、第一分割ヘッド及び第二分割ヘッドに対しシムを簡単に着脱し且つ高精度に位置合わせして組み付けること、などを目的とするものである。
【課題を解決するための手段】
【０００６】
このような目的を達成するために本発明は、塗布液の供給路を有する第一分割ヘッドと、前記第一分割ヘッドと対向して離隔及び接近する方向へ往復動自在に設けられて、前記第一分割ヘッドとの間に挿入空間が形成される第二分割ヘッドと、前記挿入空間に向け前記第一分割ヘッド及び前記第二分割ヘッドの対向面に沿って出し入れ自在に設けられ、前記供給路と連通する前記塗布液のスロットを前記第一分割ヘッド及び前記第二分割ヘッドの間に形成するための凹部を有する複数種類のシムと、を備え、前記シムには、前記第一分割ヘッド又は前記第二分割ヘッドのいずれか一方か若しくは両方に対して、前記挿入空間に対する前記シムの挿入方向へ当接する第一ストッパーが設けられ、前記挿入空間の間隔を、前記シムの挿入時において前記シムの厚さよりも広くなるように設定し、前記シムの挿入後において前記シムの厚さと同寸法となるように設定したことを特徴とする。
【発明の効果】
【０００７】
前述した特徴を有する本発明は、挿入空間がシムの厚さよりも広くなるように第一分割ヘッドと第二分割ヘッドが離隔移動している状態で、挿入空間に向けてシムを挿入することにより、シムの表裏両面が第一分割ヘッド及び第二分割ヘッドの対向面と接触することなく挟み込まれると同時に、シムに設けられた第一ストッパーを、第一分割ヘッド又は第二分割ヘッドのいずれか一方か若しくは両方に突き当てることで、凹部がシムの挿入方向へ位置決めされ、シムの挿入後は、挿入空間がシムの厚さと同寸法となるように第一分割ヘッドと第二分割ヘッドを接近移動させることで、第一分割ヘッド及び第二分割ヘッドの対向面がシムの表裏両面にそれぞれ密接して、シムがその厚さ方向へ位置決めされる。
したがって、第一分割ヘッド及び第二分割ヘッドに対しシムを簡単に着脱し且つ高精度に位置合わせして組み付けることができる。
その結果、塗布対象物となるワークのサイズ変更などに対応して、シムの交換時に２つの分割ヘッドとシムを分解し且つ交換されたシムと分割ヘッドを高精度に位置合わせしてから組み付ける必要がある従来のものに比べ、シムの交換時間を大幅に短縮化できて、サイズ変更に伴うスロットの間隙寸法と塗布幅の変更作業を容易に行うことができ、その分だけ稼働率が向上して生産性に優れる。
さらに、シムの交換に伴ってシムの表裏両面が第一分割ヘッド及び第二分割ヘッドの対向面と接触しないため、シムに付着した塗布液などのゴミの発生を防止することができ、それに伴う洗浄作業をも軽減できる。
【図面の簡単な説明】
【０００８】
【図１】本発明の実施形態に係る流体塗布装置の全体構成を示す説明図であり、（ａ）がシム挿入時の一部切欠正面図、（ｂ）が同縦断側面図である。
【図２】分解斜視図である。
【図３】シム挿入後を示す説明図であり、（ａ）が一部切欠正面図、（ｂ）が同拡大縦断側面図である。
【図４】シム挿入後の斜視図である。
【発明を実施するための形態】
【０００９】
以下、本発明の実施形態を図面に基づいて詳細に説明する。
本発明の実施形態に係る流体塗布装置Ａは、塗布対象物となるワークの表面と対向するように配設した装置本体（図示しない）に対して一体的に組み付けられ、前記装置本体とともに前記ワークの表面と相対的に移動させることで、接着液やレジストなどの塗布液を均一な膜厚の面状に塗布するための（スロット）コーター装置である。
詳しく説明すると、本発明の実施形態に係る流体塗布装置Ａは、図１〜図４に示すように、前記装置本体に対して着脱自在に取り付けられる第一分割ヘッド１と、第一分割ヘッド１と対向して離隔及び接近する方向へ往復動自在に設けられる第二分割ヘッド２と、第一分割ヘッド１及び第二分割ヘッド２の対向面１ａ，２ａに沿って出し入れ自在に設けられる複数種類のシム３と、を主要な構成要素として備えている。
【００１０】
第一分割ヘッド１は、その幅寸法がそれと直交する長さ寸法よりも長尺な略矩形に形成され、その一側面に後述する第二分割ヘッド２と対向するように形成される平滑な対向面１ａと、塗布液（図示しない）の供給路１ｂを有している。
供給路１ｂは、塗布液の供給源に接続される注入口１ｂ１と、注入口１ｂ１から供給された塗布液を第一分割ヘッド１の幅方向へ拡散させるための空洞部１ｂ２を有し、空洞部１ｂ２は、第一分割ヘッド１の対向面１ａに沿って開口している。
塗布液の注入口１ｂ１は、図１〜図４に示される例の場合に、第一分割ヘッド１においてその幅方向と直交する長さ方向の一端面に開設されている。
【００１１】
第二分割ヘッド２は、第一分割ヘッド１と同様に、その幅寸法がそれと直交する長さ寸法よりも長尺な略矩形に形成され、その一側面に第一分割ヘッド１の対向面１ａと対向するように平滑な対向面２ａを有している。
第一分割ヘッド１と第二分割ヘッド２は、ガイド部材４によって第一分割ヘッド１及び第二分割ヘッド２の厚さ方向へそれぞれの対向面１ａ，２ａが互いに離隔及び接近するように往復動自在に支持される。
ガイド部材４の具体例としては、図１〜図４に示される例の場合、第一分割ヘッド１の対向面１ａに支持ロッド４ａを突設し、第二分割ヘッド２の対向面２ａに支持ロッド４ａと摺動自在に嵌合する凹部４ｂを凹設して、支持ロッド４ａ及び凹部４ｂの摺動により往復動自在に支持している。
また、その他の例として図示しないが、ガイド部材４として、第二分割ヘッド２の対向面２ａに支持ロッド４ａを突設し、第一分割ヘッド１の対向面１ａに凹部４ｂを凹設したり、支持ロッド４ａ及び凹部４ｂとは異なる構造の支持構造を設けたり、アクチュエーターなどの駆動源を併設して機械的に第一分割ヘッド１と第二分割ヘッド２を離隔及び接近する方向へ往復動させることも可能である。
さらに、第一分割ヘッド１及び第二分割ヘッド２の対向面１ａ，２ａの間には、後述するシム３を出し入れ自在に挿入するための挿入空間Ｓを区画形成されている。
後述するシム３の挿入空間Ｓは、第一分割ヘッド１及び第二分割ヘッド２においてそれらの幅方向と直交する長さ方向全長に亘り形成され、図１〜図４に示される例の場合には、塗布液の注入口１ｂ１が開設される長さ方向の一端側から、後述するシム３を挿入している。
【００１２】
シム３は、その幅寸法が第一分割ヘッド１や第二分割ヘッド２の幅寸法よりも小さい矩形で且つ平滑な表面３ａ及び裏面３ｂを有する板状に形成され、第一分割ヘッド１の対向面１ａと第二分割ヘッド２の対向面２ａの間に形成される挿入空間Ｓに向け、第一分割ヘッド１及び第二分割ヘッド２の短尺方向へ手動或いは機械で挿入することにより、第一分割ヘッド１及び第二分割ヘッド２の対向面１ａ，２ａの間に挟み込まれるように配置される。
シム３において挿入空間Ｓに挿入される先端側の端部で且つ幅方向中央には、凹部３ｃが形成される。
凹部３ｃは、挿入空間Ｓに挿入された状態で、塗布液の供給路１ｂの空洞部１ｂ２と連通し、第一分割ヘッド１及び第二分割ヘッド２の対向面１ａ，２ａの間にスリット状のスロットＴを形成する。
スロットＴは、第一分割ヘッド１及び第二分割ヘッド２においてそれらの幅方向と直交する長さ方向の他端に突出形成されるテーパー部１ｃ，２ｂに沿って形成されている。
【００１３】
凹部３ｃの幅方向長さ寸法は、スロットＴの長さ、すなわち塗布液の塗布幅を決定する。
シム３の厚さ寸法は、後述するスロットＴの隙間の大きさ、すなわち塗布液の塗布厚さ（膜厚）を決定する。
そのために、凹部３ｃの幅方向長さ寸法が異なる複数種類のシム３と、厚さ寸法が異なる複数種類のシム３をそれぞれ用意している。塗布対象物となるワークのサイズ変更などに際しては、塗布液の塗布幅に対応する幅方向サイズの凹部３ｃを有するシム３や、塗布液の所望厚さ（膜厚）に対応する厚さサイズのシム３を選び出し、それに交換することで対応している。
また、これら複数種類のシム３は、凹部３ｃの幅方向長さ寸法や厚さ寸法の変化と関係なく、すべての外形状が同寸法に形成されている。
【００１４】
さらに、シム３において凹部３ｃと反対側には、第一分割ヘッド１又は第二分割ヘッド２のいずれか一方か、若しくは第一分割ヘッド１及び第二分割ヘッド２の両方に対して、シム３の挿入方向へ当接する第一ストッパー５が設けられる。挿入空間Ｓに対するシム３の挿入時において、第一ストッパー５を、第一分割ヘッド１又は第二分割ヘッド２のいずれか一方か若しくは両方に突き当てることで、凹部３ｃがシム３の挿入方向へ位置決めされるようにしている。
第一ストッパー５の具体例としては、図１〜図４に示される例の場合、シム３において凹部３ｃと反対側端部に、シム３の厚さ寸法よりも大きな肉厚部５ａが連設されて、シム３の表面３ａとの間に、第二分割ヘッド２の長さ方向一端面と対向する位置決め段部を形成している。図３及び図４に示されるように、挿入空間Ｓにシム３を挿入した直後に、肉厚部５ａの位置決め段部が第二分割ヘッド２の長さ方向一端面と突き当たるようにしている。
また、その他の例として図示しないが、第一ストッパー５として、肉厚部５ａとシム３の裏面３ｂの間に第一分割ヘッド１の長さ方向一端面と突き当たる位置決め段部を形成したり、肉厚部５ａとシム３の表面３ａ及び裏面３ｂの間に第一分割ヘッド１及び第二分割ヘッド２の長さ方向一端面とそれぞれ突き当たる位置決め段部を形成したり、図示される肉厚部５ａの位置決め段部に代えて突起などの他の構造の位置決め部材を設けることも可能である。
【００１５】
さらに加えて、第一分割ヘッド１又は第二分割ヘッド２のいずれか一方か、若しくは第一分割ヘッド１及び第二分割ヘッド２の両方には、シム３の幅方向端部３ｄ，３ｅのいずれか一方又は両方と当接する第二ストッパー６を設け、挿入空間Ｓに対するシム３の挿入時において、シム３の幅方向端部３ｄ，３ｅのいずれか一方又は両方が第二ストッパー６に接触することで、シム３及び凹部３ｃをその幅方向へ位置決めすることが好ましい。
第二ストッパー６の具体例としては、図１〜図４に示される例の場合、第二分割ヘッド２の長さ方向一端面に位置決め凸部６ａを、シム３の肉厚部５ａの幅方向両端部とそれぞれ当接するように突設している。図３及び図４に示されるように、挿入空間Ｓにシム３の大部分を挿入した時に、シム３の肉厚部５ａの幅方向両端部がそれぞれ位置決め凸部６ａに接触するようにしている。
また、その他の例として図示しないが、第二ストッパー６として、第一分割ヘッド１の長さ方向一端面に位置決め凸部６ａを、シム３の肉厚部５ａの幅方向両端部とそれぞれ当接するように突設したり、シム３の肉厚部５ａの幅方向両端部に代えて、シム３の幅方向端部３ｄ，３ｅと直接当接するように位置決め凸部６ａを挿入空間Ｓへ向け突設することで、シム３の幅方向端部３ｄ，３ｅを位置決め凸部６ａに接触させながら挿入するようにしたり、シム３の肉厚部５ａの幅方向一端部か又はシム３の幅方向端部３ｄ，３ｅのいずれか一方のみと当接するように位置決め凸部６ａを突設したり、図示される位置決め凸部６ａに代えて他の構造の位置決め部材を設けることも可能である。
【００１６】
そして、挿入空間Ｓの間隔は、挿入空間Ｓに対するシム３の挿入時とシム３の挿入後において、第一分割ヘッド１又は第二分割ヘッド２のいずれか一方か、若しくは第一分割ヘッド１及び第二分割ヘッド２の両方を、互いに離隔及び接近するように手動或いは機械的に移動して、それぞれ所定の寸法に設定されている。
すなわち、シム３の挿入時には、図１（ｂ）及び図２の二点鎖線に示されるように、挿入空間Ｓの間隔を最も厚いシム３の厚さ寸法よりも広くなるように設定して、挿入中のシム３の表裏両面３ａ，３ｂが第一分割ヘッド１及び第二分割ヘッド２の対向面１ａ，２ａとそれぞれ接触しないように構成している。
また、シム３の挿入後には、図３（ｂ）及び図４に示されるように、挿入空間Ｓの間隔をシム３の厚さ寸法と同寸法となるように設定して、挿入したシム３の表裏両面３ａ，３ｂが第一分割ヘッド１及び第二分割ヘッド２の対向面１ａ，２ａとそれぞれ密接するように構成している。
【００１７】
さらに、第一分割ヘッド１と第二分割ヘッド２には、挿入空間Ｓがシム３の挿入時における間隔となるように離隔方向へ押圧するか、又は挿入空間Ｓがシム３の挿入後における間隔となるように接近方向へ押圧する弾性部材７と、挿入空間Ｓがシム３の挿入後における間隔となるように保持するか、或いは挿入空間Ｓがシム３の挿入時における間隔となるように保持する保持部材８を設けることが好ましい。
図１〜図４に示される例では、弾性部材７として、挿入空間Ｓがシム３の挿入時における間隔となるように離隔方向へ押圧するための、コイルスプリングなどからなるバネ材７ａを、第一分割ヘッド１及び第二分割ヘッド２の対向面１ａ，２ａに亘って設け、保持部材８として、第一分割ヘッド１及び第二分割ヘッド２同士をシム３が挟まれるように結合するため連結部材８ａを設け、保持部材８の連結部材８ａを取り除くことにより、弾性部材７（バネ材７ａ）の押圧力で挿入空間Ｓの間隔をシム３の厚さ寸法よりも広くなる設定位置まで自動的に離隔移動させるようにしている。連結部材８ａとしてはボルトが用いられ、第二分割ヘッド２及びシム３にはボルトが貫通する通孔８ｂ，８ｃが開穿され、第一分割ヘッド１にはボルトのネジ部と螺合するネジ穴８ｄが開設されている。
また、その他の例として図示しないが、連結部材８ａとしてボルトに代え、他の連結構造に変更することも可能である。
さらに、弾性部材７として、挿入空間Ｓがシム３の挿入後における間隔となるように接近方向へ押圧するバネ材を設け、保持部材８として、挿入空間Ｓがシム３の挿入時における間隔となるように保持するスペーサーを設け、保持部材８のスペーサーを取り除くことにより、弾性部材（バネ材）７の押圧力で挿入空間Ｓの間隔をシム３の厚さ寸法と同寸法となる設定位置まで自動的に接近移動させることも可能である。
【００１８】
このような本発明の実施形態に係る流体塗布装置Ａによると、挿入空間Ｓがシム３の厚さよりも広くなるように第一分割ヘッド１と第二分割ヘッド２が離隔移動している状態で、挿入空間Ｓに向けてシム３を挿入することにより、シム３の表裏両面３ａ，３ｂが第一分割ヘッド１及び第二分割ヘッド２の対向面１ａ，２ａと接触することなく挟み込まれる。
これと同時に、シム３に設けられた第一ストッパー５を、第一分割ヘッド１又は第二分割ヘッド２のいずれか一方か、若しくは第一分割ヘッド１及び第二分割ヘッド２の両方に突き当てることで、凹部３ｃがシム３の挿入方向へ位置決めされる。
また、シム３の挿入後は、挿入空間Ｓがシム３の厚さと同寸法となるように第一分割ヘッド１と第二分割ヘッド２を接近移動させることで、第一分割ヘッド１及び第二分割ヘッド２の対向面１ａ，２ａがシム３の表裏両面３ａ，３ｂにそれぞれ密接して、シム３がその厚さ方向へ位置決めされる。
したがって、第一分割ヘッド１及び第二分割ヘッド２に対しシム３を簡単に着脱し且つ高精度に位置合わせして組み付けることができる。
その結果、シム３の交換時間を大幅に短縮化できて、サイズ変更に伴うスロットＴの間隙寸法と塗布幅の変更作業（段取り換え）を容易に行うことができ、その分だけ稼働率が向上して生産性に優れる。
さらに、シム３の交換に伴ってシム３の表裏両面３ａ，３ｂが第一分割ヘッド１及び第二分割ヘッド２の対向面１ａ，２ａと接触しないため、シム３に付着した塗布液などのゴミの発生を防止することができ、それに伴う洗浄作業をも軽減できる。
ところで、シム３の交換時に、非常に重い第一分割ヘッド１及び第二分割ヘッド２を装置本体から取り外して分解することは危険である。
これに対して、本発明の実施形態に係る流体塗布装置Ａによると、装置本体から第一分割ヘッド１及び第二分割ヘッド２を取り外すことなくシム３の交換が行えて、シム３交換の作業性と安全性を向上させることができる。
【００１９】
特に、第一分割ヘッド１又は第二分割ヘッド２のいずれか一方か若しくは両方に、シム３の幅方向端部３ｄ，３ｅと当接する第二ストッパー６を設けた場合には、挿入空間Ｓに対するシム３の挿入時において、シム３の幅方向端部３ｄ，３ｅを第二ストッパー６に接触させることにより、第一分割ヘッド１と第二分割ヘッド２に対してシム３及び凹部３ｃがその幅方向へ位置決めされる。
したがって、第一分割ヘッド１及び第二分割ヘッド２に対しシム３を簡単に幅方向へ高精度に位置合わせして組み付けることができる。
その結果、組み付け精度を更に向上させることができる。
【００２０】
さらに、第一分割ヘッド１と第二分割ヘッド２に、挿入空間Ｓがシム３の挿入時における間隔となるように離隔方向へ押圧するか、又は挿入空間Ｓがシム３の挿入後における間隔となるように接近方向へ押圧する弾性部材７と、挿入空間Ｓがシム３の挿入後における間隔となるように保持するか、或いは挿入空間Ｓがシム３の挿入時における間隔となるように保持する保持部材８を設けた場合には、第一分割ヘッド１と第二分割ヘッド２から保持部材８を取り除くことにより、弾性部材７の押圧力で挿入空間Ｓの間隔が、シム３の厚さ寸法よりも広くなる設定位置まで自動的に離隔移動するか、若しくはシム３の厚さ寸法と同寸法となる設定位置まで自動的に接近移動する。
したがって、シム３の交換作業をより容易にしてシム３の交換時間を更に短縮化させることができる。
その結果、稼働率の更なる向上が図れる。
次に、本発明の一実施例を図面に基づいて説明する。
【実施例】
【００２１】
この実施例は、図１〜図４に示すように、シム３において凹部３ｃと反対側に取手３ｆを設け、作業者が取手３ｆを持って挿入空間Ｓに対するシム３の出し入れが手動で行われる場合を示すものである。
【００２２】
図１〜図４に示される例では、シム３において凹部３ｃと反対側端部に連設される肉厚部５ａに複数の取手３ｆが突設されている。
また、その他の例として図示しないが、シム３の端部に取手３ｆを一体形成するなど、図示例以外の取り付け構造に変更することも可能である。
【００２３】
このような本発明の実施例１に係る流体塗布装置Ａによると、作業者が取手３ｆを持つことにより、挿入空間Ｓに対してシム３全体が凹部３ｃに触れることなく出し入れ可能となる。
したがって、シム３の交換を手動で簡単に且つ汚れることなく行うことができる。
その結果、手動によるサイズ変更に伴うスロットＴの間隙寸法と塗布幅の変更作業（段取り換え）を容易に行うことができ、その分だけ稼働率が向上して生産性に優れるという利点がある。
【００２４】
なお、前示実施例では、作業者がシム３の取手３ｆを持って挿入空間Ｓに対するシム３の出し入れが手動で行われる場合を示したが、これに限定されず、ロボットなどを用いて挿入空間Ｓに対するシム３の出し入れを機械的に行っても良い。
【符号の説明】
【００２５】
１  第一分割ヘッド                      １ａ  対向面
１ｂ  供給路                            ２  第二分割ヘッド
２ａ  対向面                            ３  シム
３ｃ  凹部                              ３ｄ，３ｅ  幅方向端部
３ｆ  取手                              ５  第一ストッパー
６  第二ストッパー                      ７  弾性部材
８  保持部材                            Ｓ  挿入空間
Ｔ  スロット
【図１】
2014039913.tif 000003
【図２】
2014039913.tif 000004
【図３】
2014039913.tif 000005
【図４】
2014039913.tif 000006